(57)【要約】【課題】  本考案は、高級なお酒などの商品に関して、お客が偽造品を購入して損害を被るという問題を解決するものである。【解決手段】  本考案は、高級なお酒などの商品の容器内部に空間を有し、その中に無線ＩＣタグを封入してある容器に対し、小売店にてその無線ＩＣタグに記述してある商品コードを読み取り、商品情報管理サーバーに送り、その商品の商品内容と商品状況を問い合わせることにより、その商品が本物かどうかを確認するという手段を用いる。これにより、お客が偽造品を購入することがなくなるという効果がある。【選択図】  図１
0003105287.tif 000002
【実用新案登録請求の範囲】
【請求項１】
容器を構成する材料の内部に、該材料によって周囲を覆われた空間を有し、該空間内に、少なくとも商品コードを記述した半導体記憶領域を有するＩＣチップと、該ＩＣチップに電気的に接続された通信用アンテナを有した無線ＩＣタグが取り付けられており、該容器を破壊しなければ、該無線ＩＣタグを該容器の外部へ取り出すことが不可能であることを特徴とする、容器の構造。
【考案の詳細な説明】
【技術分野】
【０００１】  本考案は、無線ＩＣタグを容器に取り付ける際の、設置方法に関するものである。
【背景技術】
【０００２】  高級なお酒は、偽物の瓶に偽物のお酒を入れて販売する業者により、偽造品が市場に出回り、消費者が偽物を高価な価格で購入し、損害を被るという問題がある。【０００３】  この偽造品に対し、従来の対策としては、偽物の瓶と区別がつくようにいくつかの工夫を容器に施している。例えば、見る角度によって異なる模様を表示できるシールを貼り付けるという工夫が瓶に施されており、このシールの微妙な見え方を観察することにより、そのお酒の瓶が本物か偽物かを判断するということが行われている。また、紫外線をあてると特定の部分のみ発光するという特徴をもったシールを瓶に貼り付けておき、紫外線を照射してこれを観察することにより、そのお酒が本物か偽物かどうかを判断できる。このように、偽物の瓶を見分けるために、偽造品防止用シールを貼り付けるということにより、偽造品対策が行われてきた。【０００４】  また、一方で、偽造品防止のシールを貼り付けたお酒の瓶を透明なガラスまたはプラスチックの箱に入れ、その箱の蓋を開けるときに、お酒の瓶の蓋が同時に開封されるという構造を有しているものがある。これは、蓋の構造を非常に複雑にしている。これにより、同じ容器を容易に偽造できないようにしている。この、容易に偽造できないという点が偽造防止につながっている。さらに、この構造の商品に対して、消費者は、蓋を開けていない状態では本物である可能性が高いと信じている。なぜならば、消費者は、そのお酒の瓶とそれを入れている箱の蓋の構造が複雑なので、容易には偽造できないという考えをもっているからである。消費者は、この構造の商品に対し、一度蓋を開けたものは本物か偽物か判断が付かないが、蓋を開けていないものに関しては、本物の可能性が高いと信じている。
【考案の開示】
【考案が解決しようとする課題】
【０００５】  しかし、上記の偽造品対策のシールでは、本物の瓶を不正に再利用し、その中に偽物のお酒を入れて販売するという不正が行われており、本物、偽物を見分けることができず、偽物が出回っているという問題がある。【０００６】  また、偽造品防止のシールをつけた状態で、さらにそれを透明な箱に入れ、蓋の構造を複雑にしたものに関しては、同じ構造を持つ偽造品が出回る可能性を否定できず、完全な偽造品対策にはなっていないという問題がある。
【課題を解決するための手段】
【０００７】  お酒の瓶のガラス部分に、無線ＩＣタグを埋め込んだ状態で商品を提供する。この無線ＩＣタグには、商品出荷時に、無線ＩＣタグの半導体記憶領域内に商品コードが記述されており、その商品コードは商品情報管理サーバーによって、その商品コードに対応する商品内容、商品状況が管理されている。【０００８】  商品を購入するときは、その商品の商品内容と商品状況を確認し、偽造品でないことを確認する。この確認方法は、その商品の販売店が無線ＩＣタグの読み取り機を用いてその商品の商品コードを読み取り、その商品コードをパーソナルコンピューターを用いて、ＶＰＮなどの回線を経由して、商品情報管理サーバーに送信し、その商品情報管理サーバーに対して、その商品コードに該当する商品内容と商品状況を検索させ、その商品内容と商品状況を問い合わせる。これにより、問い合わせを行ったパーソナルコンピューターにその商品内容と商品状況が送信される。その商品内容が該当する商品と一致しており、かつ、その商品状況が“未購入”であれば、本物であると確認できる。もし、その商品内容が、該当する商品と一致していなかったり、その商品状況が“購入済”となっていたら、この商品は偽造品である可能性が高い。この様にして、その商品が本物か偽物かを判断する。【０００９】  また、お客が商品を購入した直後に、販売店は、その商品が購入されたという情報を商品情報管理サーバーに送り、サーバー内の該当する商品コードの商品状況を“未購入”から“購入済”に変更する。
【考案の効果】
【００１０】  本考案を用いることにより、一度販売されたお酒の瓶は、商品情報管理サーバーに“購入済”という商品状況の記述が記される。したがって、偽造品としてこの商品の瓶を再利用したときに、その瓶に埋め込まれている無線ＩＣタグの商品コードに該当する商品状況を商品情報管理サーバーに問い合わせると、その商品が“購入済”となっているので、一度販売されたものであることが判明し、偽造品であると判断できる。これにより、お客は、商品購入前にその商品が本物かどうかを判断できるので、お客が偽物を購入して損害を被るという問題を回避できるという効果がある。
【実施例】
【００１１】  本考案の実施例を図１に示す。１は無線ＩＣタグをガラスの容器部分に埋め込んだ状態の瓶である。２は無線ＩＣタグのＩＣチップ部分であり、３は無線ＩＣタグのアンテナ部分である。この２と３で無線ＩＣタグを形成している。４は無線ＩＣタグとその周辺の断面指示部である。この４の断面指示部が示す断面図が図２に記されている。図２で分かるように、無線ＩＣタグは１のガラスの材料であるガラスによって囲まれており、ガラスを破壊しないと取り出すことはできない構造である。また、ＩＣチップ部分２とアンテナ部分３は６の絶縁性保護フィルム上に存在し、接着剤５によりガラスに設置されている。【００１２】  図１において、２のＩＣチップ部分と３のアンテナ部分は、完全に容器を形成するガラスによって周囲を覆われており、容器の製造工程において、このような構造が実現されるものである。このような構造を有する容器の内部に、内容物を詰め込み、それを販売する場合を考える。【００１３】  図３に示すように、まずは、商品の製造工程において、無線ＩＣタグの半導体記憶領域に商品コードを記録させておく。ここでは、この商品コードを“３Ｘ５Ｚ”とした。また、この商品コードとそれに対応する商品内容、商品状況を商品情報管理サーバー９に記録させておく。その後、商品を出荷する。【００１４】  一般のお客がその商品を購入する際には、商品コードを元にして、商品内容と商品状況を確認し、その商品が本物であることを判断してから購入する。この方法は、次の通りである。購入しようとする商品を、Ｘブランドのお酒とする。まず、小売店が無線ＩＣタグ用のリーダー７を用いて、商品の商品コードを読み取り、それをコンピューター８に取り込み、この商品コードをＶＰＮを用いて商品情報管理サーバー９に送り、この商品の商品内容と商品状況を問い合わせる。これを受けた商品情報管理サーバー９は、サーバー内のデータベースを検索して、商品内容として“Ｘブランドのお酒”、商品状況として“未購入”という情報を探し出し、それを問い合わせのあったコンピューター８に送信する。これにより、そのお客は、この商品の商品内容が“Ｘブランドのお酒”であり、その商品状況が“未購入”であることを知る。一方、お客が購入しようとしている商品は、Ｘブランドのお酒であるので、実物と商品情報管理サーバー９からの情報とが一致していることがわかる。さらに、その商品の商品状況が“未購入”であることから、まだ誰にも購入されたことのないものであることが判明する。このように、実物と商品情報管理サーバーからの商品内容とが一致し、かつ、商品情報管理サーバー９からの商品状況が“未購入”である場合に、その商品が本物であると判断する。【００１５】  その商品が、上記の方法で本物であると判断された場合で、かつ、お客がその商品を購入した場合には、小売店が該当する商品の商品コードと、その商品が購入されたという内容をＶＰＮを通して商品情報管理サーバー９に送信する。これを受けた商品情報管理サーバーは、該当する商品の商品状況を“未購入”から“購入済”に変更する。【００１６】  このような販売方法をとると、偽造品の販売が困難になる。では、偽造品を販売する例を考えてみる。まず、本物の容器を用いて中身を偽物にして販売する場合を考える。本物の容器には、無線ＩＣタグが含まれており、以前の販売において商品情報管理センター９における該当商品の商品状況は“購入済”となっているはずである。これにより、商品購入前の商品確認時に、その商品が既に誰かによって購入されており、その商品が偽物である可能性を示唆する。これにより、お客は、その商品の購入を止めることができるので、偽物を購入することによる、損害を回避できるという効果がある。
【図面の簡単な説明】
【００１７】図１    ガラスの内部に無線ＩＣタグを設置した瓶の構造の説明図
図２    図１の無線ＩＣタグ領域周辺の断面の説明図
図３    商品内容と商品状況の確認方法の説明図
【符号の説明】
【００１８】１      ガラスの瓶
２      無線ＩＣタグのＩＣチップ部分
３      無線ＩＣタグのアンテナ部分
４      無線ＩＣタグ設置領域の断面指示部
５      接着剤
６      絶縁性の保護フィルム
７      無線ＩＣタグ用のリーダー
８      コンピューター
９      商品情報管理サーバー
【図１】
0003105287.tif 000003
【図２】
0003105287.tif 000004
【図３】
0003105287.tif 000005